(57)【要約】      （修正有）【課題】多くの女性が外で働く時代に少しでも家事の負担を減らすため、食器洗い機において、食器の洗浄を極めて早くできる構造を提供する。【解決手段】主に家庭用に使う物で食器の洗浄時間を極端に短縮するために、食器受け棚４、５、６を循環回転させて、全ての食器に１個ずつ直接吹き付けて洗う機能が特徴である。またＡ型は、食器に付いた油汚れや雑菌などに直接洗剤を熱湯と共に吹き付けて洗い、次に洗剤の泡が付いた食器に直接洗浄ノズルから強力な熱湯シャワーで洗剤を洗い流す。次に強風の熱風で乾燥させ完璧に雑菌などの発生を抑える。Ｂ型は同じ様に４回循環回転させて、洗剤の付いた洗浄回転ブラシを左右交互に回転させて洗う事で、洗浄から乾燥までを食器受け棚８個のタイプの場合４分で終わります。【選択図】図２
2018089220.tif 000002
【特許請求の範囲】
【請求項１】
食器に付いたしつこい油汚れや雑菌などの洗浄能力の機能を高める為には、
（１）洗う食器類を食器受け棚に入れて循環回転させると、食器が洗浄ノズルに一番近づくので、一個ずつ順番に洗うと一番効果的である。
（２）洗浄ノズルから直接食器に洗剤や、強力な高圧の熱湯シャワーを直接食器に吹き付けて洗うと凄く効果的である。
【請求項２】
洗浄方法として、
（１）洗浄ノズルから直接食器に洗剤や、高圧の熱湯シャワーで食器の表（内側）と裏（外側）を洗う方法。
（２）洗浄回転ブラシを１０秒間位左右交互に回転させて食器の表（内側）と裏（外側）を洗う方法。
【請求項３】
食器受け棚の向きが斜め上向きで循環回転すると、食器洗い乾燥機の四角いケースの角に洗浄ノズルや、洗浄回転ブラシを組み込めるのでデッドスペースを有効活用出来るので、外寸がコンパクトになる。
【発明の詳細な説明】
【技術分野】
【０００１】
本発明の基本は、多くの女性が外で働く時代に少しでも家事の負担を減らすため、食器の洗浄を極めて早くできる構造にした食器洗い機で有る。従来より有る個人の家庭で使う多くの食器洗い器は食器を食器受けの棚の上に置いたまま全体をシャワーで洗うのに対して、Ａ型やＢ型は同じ様に食器受けの棚ごとに循環回転させて１個ずつ順番に洗浄する。
【背景技術】
【０００２】
食器の油汚れなどを食器受けの棚ごとに、Ａ型やＢ型は循環回転させて１個ずつ洗うので、食器受けの棚の向きの角度を前面にから奥に向けて３０度横向きにして、また水平方向に向けて３０〜４５度斜めに傾ける。その理由としてはケースの外寸を極力小さくする為と、四角いケースの角に洗浄ノズルや、洗浄回転ブラシを組み込めるのでデッドスペースを有効活用出来るし、食器受けの棚の数を増やすのにも最適である。食器受けの棚の向きの角度を一定に傾けた状態で循環回転させても、食器受けの棚の向きの角度が変わらない様にする為に、食器受けの棚傾斜固定リンクで補助回転ガイドとリンクする。また食器受けの棚の構造を、食器受けの棚が循環回転しても食器受けの棚の中から食器が下に、絶対にこぼれ落ちない様な構造にした。もし万が一の食器など異常状態が起きた場合には非常停止する様な構造にした。
【先行技術文献】
【特許文献】
【０００３】
【特許文献１】特開2001−104234号公報
【発明の概要】
【発明が解決しようとする課題】
【０００４】
現在他に数多くの公開特許公報の特願平11−282731号公報の様に、洗う食器を棚に並べたまま洗剤を全体に吹き付けて洗う構造にした食器洗浄機が多く有るが、それらの事案とは全く異なる発想から考えられた構造にした本発明は、原点基本が全く違う。如何にして極端に短時間で洗浄から乾燥まで終われる様にする為には、一つずつ食器受け棚に入れた食器を循環回転さして、一つずつの食器を直接洗浄する事がより綺麗になり一番早い。
【課題を解決するための手段】
【０００５】
普通毎日三度の食事後に、料理で汚れた食器を如何にして素早く洗って後片付けができるかの課題を解決する為に、食器を食器受け棚に入れて洗剤や、その洗剤を洗い流す為には洗浄能力を高める必要が有る。その為には高圧高熱洗浄水シャワーを一つずつの食器に直接吹き付けて洗うのが一番良いので、食器受け棚を循環回転させる事で解決する。
【発明の効果】
【０００６】
一般の家庭では毎日のように毎食後、朝、昼、夜３回食器などの洗い物の後片付けが当たり前にするのが一般的です。食事の後で汚れた食器を食器洗い機に入れてセットする手間はかかりますが、一度セットしてしまえば食い器が３分〜５分間で綺麗に洗って乾燥までやってくれるので、家族団らんや休憩時間を楽しめる。また食い器の作動時間が極めて短い時間で済むので、洗剤の量や、水道水と電気の使用量少なくて済むのもメリットになる。
【図面の簡単な説明】
【０００７】
【図１】食器受けの棚の数が一列８個の、正面図、上面図、側面図。
【図２】食器洗い機全体の斜視図。循環回転ガイドレール図。
【図３】食器受けの棚の数が二列８個の、正面図、上面図、側面図。
【図４】食器受けの棚の数が二列１２個の、正面図、上面図、側面図。
【図５】食器受けの棚の大皿用、茶わん用等斜視図と、食器受けの断面図。
【図６】食器受けの棚が、循環回転により３６０度変化するタイプ。
【図７】食器受けの棚の斜め傾斜固定リンクの回転状態図、洗浄ノズルの            位置図。
【図８】食器受け棚の循環回転状態の動き説明図。
【図９】食器受け棚の循環回転駆動の減速ギヤーの動き説明図。
【図１０】五個の洗浄回転ブラシの左右交互に回転駆動図と、位置図。
【発明を実施する為の形態】
【０００８】
本発明の基本は、如何にして今までに無い極めて早く短い時間で食器を効率良く確実に洗い終える食器洗い乾燥機の開発で有る。図１に有る電源コードのプラグをコンセントに差し込み、１の外形ケースの、２の食器出し入れ開口部兼点検口、３の蓋を開けて洗う食器を、４と５の食器受け棚の、１４の食器止め金具と、１７の伸縮ワイヤーの中に入れ蓋をしっかり閉めて、１６の操作パネルの自動をタッチしてスタートをする。また洗剤洗浄や熱水シャワーや洗浄から乾燥までの必要なメ二ユーを選択してスタートをタッチして行う事もできる。９の洗浄回転ブラシから洗剤が噴射されて、水圧の力で洗浄回転ブラシを食器の方向に押し出し、図２で示すように、２４駆動モーターの動きで、１５の五個の回転駆動ギャーの働きで左右交互に１０秒間位高速回転し洗剤洗浄が済むと洗浄回転ブラシが元の位置に戻り、３秒間位で食器受け棚が循環回転して次に送る時には、洗浄回転ブラシが元の位置に戻っており食器受け棚循環回転ガイドに当たる事は無い。そして次の食器受け棚を１０秒間位洗剤洗浄する。又食器の洗浄時間を長くしたり、短くするにはアイドルギヤーの比率を変えれば出来る。６の食器受け棚循環回転ガイドと、食器受け棚が常時斜めの傾斜を維持するため、１０の補助回転ガイドとが一緒に連携して同時に同じ向きに回転する為に、１９のチエンベルトが使われている。７の食器受け棚の傾斜固定リンクは、食器受け棚を常時斜めにして食器受け棚が循環回転させるためである。その目的は、１の外形ケースの外寸を小さくするためである。食器受け棚が一回転すると次の強力な熱水シャワーにより、洗浄を１０秒間位回転洗浄ブラシで丁寧に二回転繰り返して行い、次の食器受け棚に同じように送る。仕上げを強風または温風乾燥を１０秒間行い、また３秒間毎に循環回転を一周させて終わる。各部の回転はモーターで行い、６の食器受け棚循環回転ガイドを回転させるために、１１の回転駆動ギャーから、１３の減速アイドルギャーで減速して、３秒間位で食器受け棚が次の食器受け棚に送れるようなスピードに減速する。１２の回転駆動停止ギャー（洗浄中）の時は、食器受け棚循環回転ガイドの回転は停止している。それらの回転の動きを極力狭い範囲で行うために、１８の循環回転ガイドレールを使う。食器受け棚の食器止め金具を食器の大きさのサイズに合わせてセット出来るようにする為に、基本的には食器止め金具がずれたり外れたりしないようにネジで固定されているので、ネジを緩めて自由に食器止め金具を取り外したり、ずらせる様な構造にした。普通は各家庭でいつも使う食器は決まっているので、一度食器止め金具の位置をセットすれば使う度に食器止め金具の位置を変えることは無い。図２の、２０洗浄水の入口を今使われている蛇口に分技栓とホースで繋いで、２１洗浄水の排水出口をホースで繋いで流しの中へ入れる。２２の空気口は乾燥中の空気を排気する為である。食器洗い器の運転中は安全のために、２３作動中は開口部の蓋はロックされる。
（実施例として）、各家庭で使う食器の数やサイズと形状が異なるので、食器洗い機のタイプを選択出来る様に色んなタイプが有る。
１、食器洗い機のタイプをＡＡ型（食器受け棚が常時斜め上向き）。
２、食器洗い機のタイプをＢＢ型（食器受け棚が常時回転に合わせて、向きが３６０度変わる）。
３、１タイプ（食器受け棚が４個）。
２タイプ（食器受け棚が６個）。
３タイプ（食器受け棚が８個）。
４、１型（食器受け棚が循環回転方向に一列だけ）。
２型（食器受け棚が循環回転方向に二列並ぶ）。
全部で食器受け棚が一列で４個〜食器受け棚が二列で１６個まで。
（一例として）、
ＡＡ型２タイプ１型は・食器受け棚が一列だけで常時斜め上向きで６個。
ＢＢ型１タイプ２型は・食器受け棚が二列並んで向きが３６０度変わる。
【符号の説明】
【０００９】
1、外形ケース。
2、食器出し入れ開口部、兼点検口。
3、開口部兼、点検口蓋。
4、食器受け棚（大皿用）。
5、食器受け棚（茶碗用）。
6、食器受け棚循環回転ガイド。
7、食器受け棚傾斜固定リンク。
8、洗剤噴出部。
9、洗浄回転ブラシ。
10、補助循環回転ガイド。
11、循環回転駆動ギヤー。
12、循環回転停止用ギヤー（洗浄）。
13、減速アイドルギヤー。
14、止め金具。
15、五個の左右交互回転ギヤー。
16、操作パネル。
17、食器受け固定用伸縮ワイヤー。
18、循環回転ガイドレール。
19、チエンベルト。
20、洗浄水入口。
21、洗浄水排水出口。
22、空気口。
23、作動中開口部ロック。
24、駆動モーター。
25、洗浄ノズル。
【図１】
2018089220.tif 000003
【図２】
2018089220.tif 000004
【図３】
2018089220.tif 000005
【図４】
2018089220.tif 000006
【図５】
2018089220.tif 000007
【図６】
2018089220.tif 000008
【図７】
2018089220.tif 000009
【図８】
2018089220.tif 000010
【図９】
2018089220.tif 000011
【図１０】
2018089220.tif 000012
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
今市場に有る食器洗い乾燥機は、洗う全部の食器などを、食器などの置く台の
上に縦に並べて、その上から食器などに洗剤を吹きかけてから、その後で洗浄
水をシャワーのように吹き付けて洗う構造であるが、当発明は、洗う全部の食
器などを食器受け収納棚の中に入れて、食器受け棚を循環回転させて、まず１
回目で洗浄回転ブラシに洗剤を付けて、洗浄回転ブラシを左右交互に回転させ
て洗い落し、次に食器などに付いている洗剤の泡を綺麗に確実に洗い落すため
に、２回目でと３回目で同じ２回シャワー洗浄を繰り返して、洗浄水を強力な
シャワーと洗浄回転ブラシを左右に回転させ、食器などに残った洗剤を洗い落
とし、次の４回目で強力な熱風で乾燥させる構造が特徴の食器洗い乾燥機。
【請求項２】
食器などを洗う方法は二つの方法が有るので、一つは食器などに直接洗剤を吹きかけて洗浄ブラシを左右交互に回転させて洗い、洗剤を洗い落とすのも洗浄ブラシを左右交互に回転させて洗い流して、その後に乾燥する構造の食器洗い乾燥機。
【請求項３】
もう一つの方法は、食器などに直接洗剤を強力に吹きかけて洗い、次に食器などに付いた洗剤を洗い落とすために、強力な洗浄水をスプレイのシャワーように吹きつけて洗い、次に食器などに付いた水滴を弾き飛ばすために、強力な熱風を直接食器など吹き付けて、乾燥させる構造の食器洗い乾燥機。
【請求項４】
各家庭で使う食器の数やサイズと形状により異なるので、それぞれの家庭に合わせて食器洗い乾燥機を選択出来るから、食器洗い乾燥機の種類は全部で１２種類有り（食器受け収納棚の個数が３種類と、食器受け収納棚が循環回転方向に一列と、食器受け収納棚が二列）が有るので、その中から自分の家庭に合わせて選択出来る構成の食器洗い乾燥機。
１、食器洗い乾燥機のタイプをＡ型（食器受け収納棚が常時斜め上向き）。
２、食器洗い乾燥機のタイプをＢ型（食器受け収納棚が常時回転に合わせて、向きが３６０度変わる）。
Ａ型、Ｂ型のそれぞれに、食器受け収納棚が４個や、食器受け収納棚が６個と、食器受け収納棚が８個まで有る
３、１タイプ（食器受け収納棚が４個）。（図３を参照）
２タイプ（食器受け収納棚が６個）。
３タイプ（食器受け収納棚が８個）。（図１参照）
４、１型（食器受け収納棚が循環回転方向に一列だけ）。（図１を参照）
２型（食器受け収納棚が循環回転方向に二列並ぶ）。（図４を参照）
全部で食器受け棚が一列で最小４個〜最大食器受け棚が二列で１６個まで有る。
（一例として）、
Ａ型２タイプ１型については、食器受け収納棚が一列で、常時斜め上向きの
タイプは６個有る。（図１を参照）
Ｂ型１タイプ２型については、食器受け収納棚が二列並んで向きが３６０度
変るタイプは１個しか無い。（図６を参照）